Podtech/llm-jp-corpus-v4-ja_patent huggingface dataset:
【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
（Ａ）活性光線又は放射線の照射により、少なくとも１つのフッ素原子及び／又は少なくとも１つのフッ素原子を有する基で置換された芳香族スルホン酸を発生する化合物少なくとも１種、
（Ｂ）単環又は多環の脂環炭化水素構造を有し、酸の作用により分解し、アルカリ現像液中での溶解度が増大する樹脂
（Ｃ）少なくとも３つ以上の水酸基又は置換された水酸基を有し、かつ少なくとも一つの環状構造を有する化合物
を含有することを特徴とするポジ型感光性組成物。
【請求項２】
請求項１に記載のポジ型感光性組成物により膜を形成し、当該膜を露光、現像することを特徴とするパターン形成方法。
【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
（Ａ１）活性光線又は放射線の照射により、少なくとも１つのフッ素原子及び／又は少なくとも１つのフッ素原子を有する基で置換された芳香族スルホン酸を発生する化合物少なくとも１種、
（Ａ２）スルホン酸のα位がフッ素原子で置換されていないアルカンスルホン酸のオニウム塩及び／又はカルボン酸オニウム塩、
（Ｂ）単環又は多環の脂環炭化水素構造を有し、酸の作用により分解し、アルカリ現像液中での溶解度が増大する樹脂
を含有することを特徴とするポジ型感光性組成物。
【請求項２】
請求項１に記載のポジ型感光性組成物により膜を形成し、当該膜を露光、現像することを特徴とするパターン形成方法。
【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
撮影レンズを取り付け可能に構成された筐体状の第１ボディと、開口を有するとともに、撮像媒体の位置決めをする基準面を有する第２ボディと、を接合することによって構成されるカメラボディにおいて、
前記開口が存在する面と略同一面に前記第１ボディを当接することを特徴とするカメラボディ。
【請求項２】
前記開口の周辺部において、前記第１ボディと前記第２ボディとを締結手段により固定することを特徴とする請求項１に記載のカメラボディ。
【請求項３】
前記基準面は、フィルムレール、もしくは撮像素子の取り付け面を構成していることを特徴とする請求項１または請求項２に記載のカメラボディ。
【請求項４】
前記第１ボディの前記第２ボディに当接する面には、カメラのシャッターユニットを備えていることを特徴とする請求項１乃至請求項３に記載のカメラボディ。
【手続補正２】
【補正対象書類名】明細書
【補正対象項目名】０００２
【補正方法】変更
【補正の内容】
【０００２】
【従来の技術】
従来、カメラ内部の枠組は、前ボディと後ボディとの大きく分けて２つの構造物により形成されている。一眼レフカメラを例に取ると、前ボディは交換レンズを装着するバヨネットマウント、メインミラー、プリズムボックス等が設置され、撮影光路を確保する機能を持つ。また、後ボディはフィルムパトローネを装填するパトローネ室、パトローネから引き出されたフィルムを巻き取るスプール室、撮影画面を規定するアパーチャー等を備えており、前ボディと後ボディをドッキングすることで、カメラの枠組を構成している。従来のカメラのドッキング形態を図６および図７に示す。
【手続補正３】
【補正対象書類名】明細書
【補正対象項目名】００１０
【補正方法】変更
【補正の内容】
【００１０】
また、図７の構成では、前ボディ側のプリズムボックス収納部が成形によって変形し、バヨネットマウント取り付け面から後部上側のドッキング面までの寸法を正確に再現できない場合が多く、また、前ボディの後部上側のドッキング面は後ろ側に抜く型、バヨネットマウント取り付け面下部裏側のドッキング面は下側に抜く型と、別の型で構成され、バラツキが大きくなる場合が多かった。
【手続補正４】
【補正対象書類名】明細書
【補正対象項目名】００１２
【補正方法】変更
【補正の内容】
【００１２】
【課題を解決するための手段】
この目的を達成するために、請求項１の発明によるカメラボディは、撮影レンズを取り付け可能に構成された筐体状の第１ボディと、開口を有するとともに、撮像媒体の位置決めをする基準面を有する第２ボディと、を接合することによって構成されるカメラボディにおいて、開口が存在する面と略同一面に第１ボディを当接することを特徴とする。
【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
ランプ及び該ランプから放射した光を所定方向に反射させる曲面状で一端が開口したリフレクタを有するランプユニットと、
前記ランプ及び前記リフレクタの反射面を保護する光透過性板材と、
前記ランプユニット及び前記光透過性板材を保持するハウジングとを備え、
前記ランプユニットは、前記リフレクタの開口側外周部に前記ハウジングとの固定に供するためのハウジング取付部を有し、
前記ハウジングは、前記ハウジング取付部を受け入れて前記ランプユニットを保持するランプユニット保持部と、前記光透過性板材を受け入れて保持する板材保持部とを有し、
前記リフレクタの開口端と前記光透過性板材との間に前記ハウジングの外部と連通する第１の風路と、前記ハウジング取付部と前記ハウジングの後壁との間に前記ハウジングの外部と連通する第２の風路とを配し、
前記第１の風路を介して前記ランプユニットと前記光透過性板材とを対向配置した、ランプ装置。
【請求項２】
前記ハウジング取付部は、前記リフレクタの開口側外周端部を受け入れて支持固定するリブを備える、請求項１記載のランプ装置。
【請求項３】
前記リブが、前記リフレクタの開口側外周の半周以上を支持する、請求項２記載のランプ装置。
【請求項４】
前記リフレクタの開口側外周部に該外周部の一部を切り落とした形状の平坦部を設け、該平坦部を前記リブの内面に対向させた、請求項２または３記載のランプ装置。
【請求項５】
前記第１の風路及び第２の風路が、それぞれ前記ハウジングの側壁に形成された吸排気口を備える、請求項１〜４記載のランプ装置。
【請求項６】
前記第１の風路を構成する吸排気口が、前記第２の風路を構成する吸排気口より小さい、請求項５記載のランプ装置。
【請求項７】
前記ハウジングが金属からなる、請求項１乃至６のいずれかに記載のランプ装置。
【請求項８】
前記ハウジングの内側表面の熱吸収率を前記金属自体の熱吸収率より高める表面加工を、該ハウジングの内側表面に施した、請求項７記載のランプ装置。
【請求項９】
前記ハウジングの外側表面の熱放射率を前記金属自体の熱放射率より高める表面加工を、該ハウジングの外側表面に施した、請求項７または８記載のランプ装置。
【請求項１０】
前記ランプのイグニッション電圧を１０ＫＶ以下とした、請求項１乃至９のいずれかに記載のランプ装置。
【請求項１１】
請求項１乃至１０のいずれかに記載のランプ装置を照明用光源として外装ケースの内部に備えた、プロジェクタ。
【請求項１２】
前記プロジェクタが、光学系を構成する光学素子を保持する金属筐体を備えるものにおいて、前記ランプ装置をそのハウジングを利用して前記金属筐体に熱伝導可能に固定した、請求項１１記載のプロジェクタ。
【請求項１３】
前記ランプ装置と前記外装ケースとの間に風路を形成した、請求項１１または１２記載のプロジェクタ。
【請求項１４】
前記ランプ装置と前記外装ケースとの対向部のランプ装置側に該ランプ装置のハウジングより熱放射率の低い熱緩衝材を配置した、請求項１３記載のプロジェクタ。
【請求項１５】
前記ランプ装置と前記外装ケースとの対向部の外装ケース側に該外装ケースより熱反射率の高い熱緩衝材を配置した、請求項１３記載のプロジェクタ。
【請求項１６】
前記ランプ装置からの出射光の光路に該出射光を横切って流れる空気を導入した、請求項１１乃至１５のいずれかに記載のプロジェクタ。
【手続補正書】
【提出日】平成16年12月16日(2004.12.16)
【手続補正１】
【補正対象書類名】明細書
【補正対象項目名】発明の名称
【補正方法】変更
【補正の内容】
【発明の名称】汚泥の処理方法と装置
【手続補正２】
【補正対象書類名】明細書
【補正対象項目名】特許請求の範囲
【補正方法】変更
【補正の内容】
【特許請求の範囲】
【請求項１】
被処理物をフィルタープレスで脱水する処理方法において、前記フィルタープレスでの脱水は、該フィルタープレスでろ過工程終了後に、該フィルタープレスに水を圧入して洗浄する洗浄工程を設け、前記ろ過工程で捕集された被処理物を洗浄した後、圧搾工程で被処理物を圧搾脱水することを特徴とする処理方法。
【請求項２】
マンガンを含有する汚泥に、酸を添加して汚泥ｐＨを酸性にし、汚泥粒子が含有マンガンを水側に溶出させる還元工程と、還元工程を経た汚泥をフィルタープレスで脱水する脱水工程からなる汚泥の処理方法において、前記脱水工程は、該フィルタープレスでろ過工程終了後に、該フィルタープレスのろ室容量と等倍量以上の水を圧入する汚泥洗浄工程を設け、ろ過工程で捕集された汚泥を洗浄した後、圧搾工程で汚泥を圧搾脱水することを特徴とする汚泥の処理方法。
【請求項３】
前記脱水工程では、ろ過工程から排出されるろ液及び汚泥洗浄工程に用いた洗浄排水を、マンガン排水処理工程で除マンガン処理し、その処理水の少なくとも一部を、前記汚泥工程の洗浄水として使用することを特徴とする請求項２記載の汚泥の処理方法。
【請求項４】
被処理物をフィルタープレスで脱水する処理装置において、前記フィルタープレスが、被処理物をろ過する手段と、該ろ過した被処理物を該フィルタープレスに水を圧入して洗浄する手段と、該洗浄した被処理物を圧搾脱水する手段とを有することを特徴とする脱水処理装置。
【手続補正３】
【補正対象書類名】明細書
【補正対象項目名】０００１
【補正方法】変更
【補正の内容】
【０００１】
【発明の属する技術分野】
本発明は、汚泥の処理方法に係り、特に、浄水設備、工業用水設備等から排出される汚泥の処理方法と装置に関する。
【手続補正４】
【補正対象書類名】明細書
【補正対象項目名】０００４
【補正方法】変更
【補正の内容】
【０００４】
【発明が解決しようとする課題】
本発明は、上記従来技術の問題点を解決し、浄水及び工業用水設備から発生する汚泥中のマンガン濃度を低下させ、より農業有効利用材として有効な汚泥を得ることができる汚泥の処理方法と装置を提供することを課題とする。
【手続補正５】
【補正対象書類名】明細書
【補正対象項目名】０００５
【補正方法】変更
【補正の内容】
【０００５】
【課題を解決するための手段】
上記課題を解決するために、本発明では、被処理物をフィルタープレスで脱水する処理方法において、前記フィルタープレスでの脱水は、該フィルタープレスでろ過工程終了後に、該フィルタープレスに水を圧入して洗浄する洗浄工程を設け、前記ろ過工程で捕集された被処理物を洗浄した後、圧搾工程で被処理物を圧搾脱水することを特徴とする処理方法、又は、被処理物をフィルタープレスで脱水する処理装置において、前記フィルタープレスが、被処理物をろ過する手段と、該ろ過した被処理物を該フィルタープレスに水を圧入して洗浄する手段と、該洗浄した被処理物を圧搾脱水する手段とを有することを特徴とする脱水処理装置としたものである。
また、本発明では、マンガンを含有する汚泥に、酸を添加して汚泥ｐＨを酸性にし、汚泥粒子が含有マンガンを水側に溶出させる還元工程と、還元工程を経た汚泥をフィルタープレスで脱水する脱水工程からなる汚泥の処理方法において、前記脱水工程は、該フィルタープレスでろ過工程終了後に、該フィルタープレスのろ室容量と等倍量以上の水を圧入する汚泥洗浄工程を設け、ろ過工程で捕集された汚泥を洗浄した後、圧搾工程で汚泥を圧搾脱水することとしたものである。
前記処理方法において、脱水工程では、ろ過工程から排出されるろ液及び汚泥洗浄工程に用いた洗浄排水を、マンガン排水処理工程で除マンガン処理し、その処理水の少なくとも一部を、前記汚泥洗浄工程の洗浄水として使用することができる。
このように、フィルタープレスのろ過工程終了後に汚泥洗浄工程を設けたことにより、ろ過工程で捕集された汚泥を洗浄することにより汚泥中に残留するマンガンを除去することができる。
【手続補正書】
【提出日】平成15年12月5日(2003.12.5)
【手続補正１】
【補正対象書類名】明細書
【補正対象項目名】００２６
【補正方法】変更
【補正の内容】
【００２６】
請求項７記載の装置によれば、流動ホッパーの出入口周縁部は縦向き管の入口周縁部より大径とするとともに、流動ホッパーの出入口周縁部と縦向き管の入口周縁部との間には隙間が形成されている。このため、流動ホッパーから落下してきた材料は、縦向き管内が満たされた後も、上記の隙間から一時貯留ホッパー内へ溢れさせることができるので、縦向き管の外周と一時貯留ホッパーの内周との間に形成されるデッドスペースが解消される。すなわち、請求項６に記載の構成を採用したことにより新たに生ずるデッドスペースの問題は請求項７に記載の構成により解消される。


【手続補正２】
【補正対象書類名】明細書
【補正対象項目名】００６５
【補正方法】変更
【補正の内容】
【００６５】
請求項７記載の装置によれば、流動ホッパーの出入口周縁部は縦向き管の入口周縁部より大径とするとともに、流動ホッパーの出入口周縁部と縦向き管の入口周縁部との間には隙間が形成されているものであるから、流動ホッパーから落下してきた材料は縦向き管内が満杯になった後も、上記の隙間から一時貯留ホッパー内へ溢れさせることができ、縦向き管の外周と一時貯留ホッパーの内周との間に形成されるデッドスペースが解消される。
【手続補正書】
【提出日】平成16年12月28日(2004.12.28)
【手続補正１】
【補正対象書類名】明細書
【補正対象項目名】０００８
【補正方法】変更
【補正の内容】
【０００８】
【実施例】
実施例１：
陽イオンの割合がＳｉ4+：７３モル％，Ｎａ+：２５モル％，Ｅｕ2+：２モル％の酸化物ガラスになるようにＳｉＯ2，Ｎａ2ＣＯ3，Ｅｕ2Ｏ3原料を秤量し、白金ルツボに入れた。原料を１４５０℃で３０分間溶融した後、室温付近まで冷却した。得られたガラスをカーボンルツボに収容し、５体積％Ｈ2−Ｎ2ガス雰囲気中１４５０℃で６０分間の還元処理を施した後、ガラス融液をルツボごと室温付近まで急冷し、Ｅｕ2+含有酸化物ガラスを得た。このＥｕ2+含有酸化物ガラスから厚さ５ｍｍの試料を切り出し、２平面を光学研磨した後で吸収スペクトルを測定することにより、Ｅｕ2+の存在を確認した。
作製された試料３の内部に集光点２が位置するようにパルスレーザ光１を集光レンズ４で絞り（図１）、試料３を集光照射した。パルスレーザ−光１としては、アルゴンレーザ励起のＴｉ−サファイアレーザから発振されたパルス幅３００フェムト秒、繰返し周期１ｋＨｚ、波長８００ｎｍの光を使用し、ピークエネルギー密度１０9〜１０15Ｗ／ｃｍ2で集光点３に１秒間照射した。
【手続補正２】
【補正対象書類名】明細書
【補正対象項目名】００１１
【補正方法】変更
【補正の内容】
【００１１】
実施例２：
陽イオンの割合がＡｌ3+：３５モル％，Ｍｇ2+：１０モル％，Ｃａ2+：２０モル％，Ｓｒ2+：１０モル％，Ｂａ2+：１０モル％，Ｙ3+：１４モル％，Ｓｍ2+：１モル％、陰イオンの割合がＦ-：１００モル％の組成をもつフッ化物ガラスとなるようにＡｌＦ3，ＭｇＦ2，ＣａＦ2，ＳｒＦ2，ＢａＦ2，ＹＦ3，ＳｍＦ3原料を秤量し配合した。原料混合物をカーボンルツボに入れ、５体積％Ｈ2−Ｎ2ガス雰囲気中１０００℃で６０分間還元溶融した後、ガラス溶融をルツボごと室温付近まで急冷した。得られたフッ化物ガラスから厚さ５ｍｍの試料を切り出し、２平面を光学研磨した後で吸収スペクトルを測定したところ、フッ化物ガラス中にＳｍ2+が存在していることが確認された。
作製された試料３に対し、実施例１と同様な方法でパルス幅１２０フェムト秒、繰返し周期２００ｋＨｚ、波長１１００ｎｍのパルスレーザ光１を用いて、ピークエネルギー密度１０8〜１０15Ｗ／ｃｍ2で試料３の内部を集光照射した。本実施例では、この状態で試料３を毎秒２０μｍの速度でレーザ光１の光軸に対して垂直に移動させた。
【手続補正３】
【補正対象書類名】明細書
【補正対象項目名】００１４
【補正方法】変更
【補正の内容】
【００１４】
【発明の効果】
以上に説明したように、本発明においては、希土類イオンや遷移金属イオンを含む無機材料の内部に集光点を調節したパルスレーザ光で無機材料を集光照射することにより、無機材料の内部で集光点及び集光点近傍のみのイオンの価数を変化させている。イオン価数が変化した領域の周辺にはイオン価数の変化していない領域があり、イオン価数差に応じて吸収や発光特性が異なる。処理された無機材料は、材料内部の特定領域で光学特性が選択的に変えられているため、これらの光学特性を利用したメモリー材料，発光素子等の機能材料として使用される。
【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】
アプリケーションソフトをＣＰＵが実行することにより、三次元仮想空間におけるオブジェクトの動きと位置を制御してゲームを進行させるとともに、前記三次元仮想空間内の様子を所定の視点位置に配置された仮想カメラから見た画像をゲーム画像として表示手段に出力するように構成されたゲーム装置における、ゲーム画像の画像処理方法であって、
前記仮想空間内の基準となる基準平面上に、前記基準平面上に配置されたラインポリゴンの位置座標と、前記仮想カメラの位置座標と、前記ラインポリゴンと前記仮想カメラとの距離および角度に基づいて、前記ラインポリゴンと前記仮想カメラとの位置関係を判定するステップと、前記判定により、前記ラインポリゴンと前記仮想カメラとの距離及び角度が、前記表示部に前記ラインポリゴンを表示し難くなる条件にあると判定された場合、前記仮想カメラから見た前記ラインポリゴンの面積が増すように前記ラインポリゴンの頂点の位置座標を変更するステップと、を含むことを特徴とする、ゲームの画像処理方法。
【請求項２】
アプリケーションソフトをＣＰＵが実行することにより、三次元仮想空間におけるオブジェクトの動きと位置を制御してゲームを進行させるとともに、前記三次元仮想空間内の様子を所定の視点位置に配置された仮想カメラから見た画面をゲーム画像として表示手段に出力するように構成されたゲーム装置における、ゲーム画像の画像処理方法であって、
前記オブジェクトに付された属性データに基づいて、前記仮想カメラの視野内に消失防止対象のオブジェクトが存在するかどうかを判別するステップと、前記消失防止対象オブジェクトが視野内に存在すると判別された場合、前記仮想カメラの注視点と前記仮想カメラの位置座標とから単位視線ベクトルを求めるステップと、前記消失防止対象オブジェクトのデータから前記消失防止対象オブジェクトの単位法線ベクトルを求めるステップと、前記単位視線ベクトルと前記単位法線ベクトルとのなす角度を演算し、この角度が所定の角度になるように、前記消失防止対象オブジェクトの頂点の座標値を調整するステップと、を含むことを特徴とする、ゲームの画像処理方法。
【請求項３】
請求項１又は２記載の画像処理方法において、遊戯者が入力装置を操作して入力される入力信号によって動きを制御されるプレーヤーオブジェクトの、前記仮想空間内での移動方向に応じて、前記仮想カメラの向き方向を調整するステップを更に含むことを特徴とする、ゲームの画像処理方法。
【請求項４】
請求項３記載の画像処理方法において、前記三次元仮想空間が所定のエリアに分かれて成り、前記所定のエリアに対する前記仮想カメラの注視点の位置と、前記プレイヤーオブジェクトの位置とに基づいて、前記仮想カメラの向き方向を調整するステップを更に含むことを特徴とする、ゲームの画像処理方法。
【請求項５】
請求項３又は４記載のゲームの画像処理方法において、前記仮想カメラの注視点の位置と、前記プレイヤーオブジェクトの位置とに基づいて、前記仮想カメラのズーム処理を行うステップを更に含むことを特徴とする、ゲームの画像処理方法。
【手続補正書】
【提出日】平成16年11月18日(2004.11.18)
【手続補正１】
【補正対象書類名】明細書
【補正対象項目名】請求項１１
【補正方法】変更
【補正の内容】
【請求項１１】
複数の図柄を表示する図柄表示手段と、
遊技者による操作部の操作に応じて、前記図柄表示手段に表示される図柄を変動させる図柄変動手段と、
を備えたスロットマシンにおいて、
少なくとも前記操作部が操作されていないときに、動作実演指令が入力されると、当該スロットマシンの動作モードを、前記図柄変動手段が遊技者による前記操作部の操作に応じて、前記図柄表示手段に表示される図柄を変動可能な通常モードから、前記図柄変動手段が遊技者による前記操作部の操作によらず、前記図柄表示手段に表示される図柄を変動可能な実演モードに移行させる動作モード切替手段と、
該動作モード切替手段により当該スロットマシンが実演モードに移行されると、前記図柄変動手段を制御して、前記図柄表示手段に表示される図柄を変動させる図柄変動制御手段と、
を備えたことを特徴とするスロットマシン。
【手続補正２】
【補正対象書類名】明細書
【補正対象項目名】請求項１５
【補正方法】変更
【補正の内容】
【請求項１５】
請求項１１〜１４の何れかに記載のスロットマシンにおいて、
前記図柄表示手段に固定された図柄に応じて、メダル払出数を表示するメダル数表示手段を備え、
前記図柄変動制御手段は、前記動作モード切替手段により当該スロットマシンが前記実演モードに移行されると、前記図柄変動手段を制御して、前記図柄表示手段に表示される図柄を変動させた後、該変動を停止させ、前記図柄表示手段に図柄を固定させ、前記メダル数表示手段に、該固定された図柄に応じたメダル払出数を表示させることを特徴とするスロットマシン。
【手続補正３】
【補正対象書類名】明細書
【補正対象項目名】００２４
【補正方法】変更
【補正の内容】
【００２４】
一方、上記課題を解決するために為された本発明の請求項１１のスロットマシンは、複数の図柄を表示する図柄表示手段と、遊技者による操作部の操作に応じて、前記図柄表示手段に表示される図柄を変動させる図柄変動手段とを備えたスロットマシンにおいて、
少なくとも前記操作部が操作されていないときに、動作実演指令が入力されると、当該スロットマシンの動作モードを、前記図柄変動手段が遊技者による前記操作部の操作に応じて、前記図柄表示手段に表示される図柄を変動可能な通常モードから、前記図柄変動手段が遊技者による前記操作部の操作によらず、前記図柄表示手段に表示される図柄を変動可能な実演モードに移行させる動作モード切替手段と、
該動作モード切替手段により当該スロットマシンが実演モードに移行されると、前記図柄変動手段を制御して、前記図柄表示手段に表示される図柄を変動させる図柄変動制御手段と、
を備えたことを特徴とする。
【手続補正４】
【補正対象書類名】明細書
【補正対象項目名】００２５
【補正方法】変更
【補正の内容】
【００２５】
この様に構成された本発明（請求項１１）のスロットマシンにおいては、動作モード切替手段が、少なくとも操作部が操作されていないときに動作実演指令を受けると、当該スロットマシンの動作モードを、図柄変動手段が遊技者による操作部の操作に応じて、図柄表示手段に表示される図柄を変動可能な通常モードから、図柄変動手段が遊技者による操作部の操作によらず、図柄表示手段に表示される図柄を変動可能な実演モードに移行させ、図柄変動制御手段が、図柄変動手段を制御して、図柄表示手段に表示される図柄を変動させる。
【手続補正５】
【補正対象書類名】明細書
【補正対象項目名】００３１
【補正方法】変更
【補正の内容】
【００３１】
また、当該スロットマシンが実演モードである時にも、図柄表示手段に固定された図柄に応じて、メダルを実際に払出すようにすれば、メダルの払出数を遊技者に教示できると共に現実味が出るので好ましいが、そのメダルが遊技客に取られて遊技場の損失となる畏れがある。そこで、請求項１５に記載のように、図柄表示手段に固定された図柄に応じて、メダル払出数を表示するメダル数表示手段を備え、図柄変動表示手段を、当該スロットマシンが実演モードに移行されると、図柄変動手段を制御して、図柄表示手段に表示される図柄を変動させた後、その変動を停止させ、図柄表示手段に図柄を固定させ、メダル数表示手段に、その固定された図柄に応じたメダル払出数を表示させるよう構成すると良い。この様にすれば、遊技客にメダルを盗られることなく、図柄に応じたメダルの払出数を教示できる。
【手続補正書】
【提出日】平成17年1月4日(2005.1.4)
【手続補正１】
【補正対象書類名】明細書
【補正対象項目名】請求項１
【補正方法】変更
【補正の内容】
【請求項１】
外周面に複数種の図柄が所定数配列され駆動手段により回転して順次繰り返し図柄を表示窓に表示する回胴が複数並んで配置され、停止した各回胴の表示窓の入賞ライン上に並んだ図柄の組み合わせによって入賞が決まる回胴式遊技装置において、
遊技者の操作で前記全ての回胴の回転を開始させる開始指示手段と、
遊技者の操作で前記各回胴に対応して回転を停止させる停止指示手段と、
前記停止指示手段による停止指示時点の回胴の状態に基づき回胴の停止回転角度を決定する停止回転角度決定手段と、
前記駆動手段を制御する制御手段とを備え、
前記制御手段は、前記停止回転角度決定手段が決定した回胴の停止回転角度に対応して回胴の回転速度を定常回転速度から変化させて所定時間内に回胴を停止させるように駆動手段を制御することを特徴とする回胴式遊技装置。
【手続補正２】
【補正対象書類名】明細書
【補正対象項目名】００１６
【補正方法】変更
【補正の内容】
【００１６】
【課題を解決するための手段および作用効果】
上記目的を達成するために、本発明は、外周面に複数種の図柄が所定数配列され駆動手段により回転して順次繰り返し図柄を表示窓に表示する回胴が複数並んで配置され、停止した各回胴の表示窓の入賞ライン上に並んだ図柄の組み合わせによって入賞が決まる回胴式遊技装置において、遊技者の操作で前記全ての回胴の回転を開始させる開始指示手段と、遊技者の操作で前記各回胴に対応して回転を停止させる停止指示手段と、前記停止指示手段による停止指示時点の回胴の状態に基づき回胴の停止回転角度を決定する停止回転角度決定手段と、前記駆動手段を制御する制御手段とを備え、前記制御手段は、前記停止回転角度決定手段が決定した回胴の停止回転角度に対応して回胴の回転速度を定常回転速度から変化させて所定時間内に回胴を停止させるように駆動手段を制御する回胴式遊技装置である。
【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】
電動のリニアアクチュエータにより切削、研磨、清掃、診断、治療用などの効果子を駆動することを特徴とする切削研磨清掃治療装置。
【請求項２】
請求項１の切削研磨清掃治療装置において、
前記電動アクチュエータに生じる逆起電力を利用して前記電動アクチュエータの駆動電力を制御することを特徴とする切削研磨清掃治療装置。
【請求項３】
請求項１の切削研磨清掃治療装置において、
前記電動アクチュエータに固有の共振周波数を利用して前記電動アクチュエータの駆動電力を制御 することを特徴とする切削研磨清掃治療装置。
【請求項４】
請求項１から請求項３のいづれかの切削研磨清掃治療装置において、
前記リニアアクチュエータは、通電により磁場を発生するコイルと、
このコイルの発生する磁場によって変位可能な永久磁石とを備え、
前記コイルまたは前記永久磁石の一方が把持部もしくは把持部の先端に支持され、
前記コイルまたは前記永久磁石の他方が前記効果子を支持する
ことを特徴とする切削研磨清掃治療装置。
【請求項５】
請求項１または請求項４のいずれかの切削研磨清掃治療装置において、
直線運動アクチュエーターと回転アクチュエーターと組み合わせて動作することを特徴とする切削研磨清掃治療装置。
【請求項６】
請求項１から請求項５のいずれかの切削研磨清掃治療装置において、
前記アクチュエータは、単体あるいは複数のコイルを磁場発生手段に使用する事を特徴とする切削研磨清掃治療装。
【請求項７】
請求項１から請求項６のいずれかの切削研磨清掃治療装置において、
前記アクチュエータは、パルスー正弦波用波形、矩形波用、パルス駆動、多周波混合波形などのいづれか一つあるいはそのいづれかの組み合わせの運動を行う事を特徴とする切削研磨清掃治療装。
【請求項８】
請求項１から請求項７のいずれかの切削研磨清掃治療装置において、
前記アクチュエータは、所定のストッパーを使用することを特徴とする切削研磨清掃治療装。
【手続補正２】
【補正対象書類名】明細書
【補正対象項目名】０００５
【補正方法】変更
【補正の内容】
【０００５】
【課題を解決するための手段】
本発明の切削研磨清掃治療装置は、次の技術的手段を採用した。
〔請求項１の手段〕
電動のリニアアクチュエータにより切削、研磨、清掃、診断、治療用などの効果子を駆動することを特徴とする。
【手続補正３】
【補正対象書類名】明細書
【補正対象項目名】０００６
【補正方法】変更
【補正の内容】
【０００６】
〔請求項２の手段〕
請求項２の切削研磨清掃治療装置は、
前記電動アクチュエータに生じる逆起電力を利用して前記電動アクチュエータの駆動電力を制御することを特徴とする
【手続補正４】
【補正対象書類名】明細書
【補正対象項目名】０００７
【補正方法】変更
【補正の内容】
【０００７】
〔請求項３の手段〕
請求項３の切削研磨清掃治療装置は、
前記電動アクチュエータに固有の共振周波数を利用して前記電動アクチュエータの駆動電力を制御 することを特徴とする
【手続補正５】
【補正対象書類名】明細書
【補正対象項目名】０００８
【補正方法】変更
【補正の内容】
【０００８】
〔請求項４の手段〕
請求項４の切削研磨清掃治療装置は、
前記リニアアクチュエータは、通電により磁場を発生するコイルと、
このコイルの発生する磁場によって変位可能な永久磁石とを備え、
前記コイルまたは前記永久磁石の一方が把持部もしくは把持部の先端に支持され、
前記コイルまたは前記永久磁石の他方が前記効果子を支持する
ことを特徴とする
【手続補正６】
【補正対象書類名】明細書
【補正対象項目名】０００９
【補正方法】変更
【補正の内容】
【０００９】
〔請求項５の手段〕
請求項５の切削研磨清掃治療装置は、
直線運動アクチュエーターと回転アクチュエーターと組み合わせて動作することを特徴とする
【手続補正７】
【補正対象書類名】明細書
【補正対象項目名】００１０
【補正方法】変更
【補正の内容】
【００１０】
〔請求項６の手段〕
請求項６の切削研磨清掃治療装置は、
前記アクチュエータは、単体あるいは複数のコイルを磁場発生手段に使用する事を特徴とする
【手続補正８】
【補正対象書類名】明細書
【補正対象項目名】００１１
【補正方法】変更
【補正の内容】
【００１１】
〔請求項７の手段〕
請求項１から請求項６のいずれかの切削研磨清掃治療装置において、
前記アクチュエータは、パルスー正弦波用波形、矩形波用、パルス駆動、多周波混合波形などのいづれか一つあるいはそのいづれかの組み合わせの運動を行う事を特徴とする
【手続補正９】
【補正対象書類名】明細書
【補正対象項目名】００１２
【補正方法】変更
【補正の内容】
【００１２】
〔請求項８の手段〕
請求項８の切削研磨清掃治療装置は、
前記アクチュエータは、所定のストッパーを使用することを特徴とする
【手続補正１０】
【補正対象書類名】明細書
【補正対象項目名】００１３
【補正方法】変更
【補正の内容】
【００１３】
【発明の作用および発明の効果】
従来の純機械的なぎこちない先端子の動きが、本方法では動きが細やかで、非常にしなやかで滑らかなタッチのきめ細かい清掃運動が可能となる。また治療として、上記構造より発生する振動または動磁場などにより、組織への振動または動磁場付与のいずれか一方または、その両方の効果を付与できる。
また、歯間部など薬剤の浸透が困難な部位への薬剤浸透を可能とし、歯垢などの細菌叢による障壁を除きながら薬剤供給が可能なのでより薬剤効果が高くなる。
さらにまた先端子が大きな力を得、かつ被切削、研磨、清掃物に注水ができ、注水水の温用ヒーターを兼ねることもできる場合がある。
【手続補正１１】
【補正対象書類名】明細書
【補正対象項目名】００１４
【補正方法】変更
【補正の内容】
【００１４】
第一または第二磁場発生手段は、交流電力をその両方あるいはどちらか一方に供給されることにより交流電磁界が発生し、そのことによりその磁場発生手段の位置、形状を計測することができるし、その発生した電磁界により血行促進などの治療、健康促進効果がえられる。
また第一または第二磁場発生手段は、所定時間、所定量の電力をその両方あるいはどちらか一方に供給されることにより可動または静止した第二磁場発生手段の変位または圧力を計測する変位検出手段、圧力検出手段のその両方またはどちらか一方を計測することができる。
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
所定のコンテンツ情報と、上記所定のコンテンツ情報の表示に応じて取り出す他のコンテンツ情報のロケーションに関する補助情報とを放送信号に多重化するステップと、
多重化した上記放送信号を送信するステップと、
多重化した上記放送信号を受信するステップと、
多重化した上記放送信号から上記所定のコンテンツ情報および上記補助情報とを取り出すステップと、
取り出された上記所定のコンテンツ情報を表示するステップと、
取り出された上記補助情報に基づいて上記他のコンテンツ情報を取得するステップと、
取得された上記他のコンテンツ情報を表示するステップとを有することを特徴とする情報表示方法。
【請求項２】
所定のコンテンツ情報と、上記所定のコンテンツ情報の表示に応じて取り出す他のコンテンツ情報のロケーションに関する補助情報とを多重化した放送信号を受信するステップと、
上記放送信号から上記所定のコンテンツ情報および上記補助情報とを取り出すステップと、
取り出された上記所定のコンテンツ情報を表示するステップと、
取り出された上記補助情報に基づいて上記他のコンテンツ情報を取得するステップと、
取得された上記他のコンテンツ情報を表示するステップとを有することを特徴とする情報表示方法。
【請求項３】
上記放送信号をテレビジョン放送信号とした請求項１または２記載の情報表示方法。
【請求項４】
上記所定のコンテンツ情報および上記補助情報をテレビジョン放送信号の垂直帰線期間に挿入して多重化した請求項３記載の情報表示方法。
【請求項５】
上記放送信号には上記所定のコンテンツ情報を表示する時刻に関する情報が多重化され、上記時刻に関する情報に基づいて上記所定のコンテンツ情報を表示する請求項１、２、３または４記載の情報表示方法。
【請求項６】
上記ロケーションは、ネットワーク上のロケーションを含む請求項１〜５のいずれかに記載の情報表示方法。
【請求項７】
上記ロケーションは放送による伝送経路を含む請求項１〜６のいずれかに記載の情報表示方法。
【請求項８】
所定のコンテンツ情報と、上記所定のコンテンツ情報の表示に応じて取り出す他のコンテンツ情報に関する補助情報とを多重化した放送信号を受信する手段と、
上記放送信号から上記所定のコンテンツ情報および上記補助情報とを取り出す手段と、
取り出された上記所定のコンテンツ情報を表示する手段と、
取り出された上記補助情報に基づいて上記他のコンテンツ情報を取得する手段と、
取得された上記他のコンテンツ情報を表示する手段とを有することを特徴とする情報表示装置。
【請求項９】
所定のコンテンツ情報と、上記所定のコンテンツ情報の表示に応じて取り出す他のコンテンツ情報に関する補助情報とを多重化した放送信号を受信する手段と、
上記放送信号から上記所定のコンテンツ情報および上記補助情報とを取り出す手段と、
取り出された上記補助情報に基づいて上記他のコンテンツ情報を取得する手段と、
取り出された上記所定のコンテンツ情報および上記他のコンテンツ情報を表示する手段とを有することを特徴とする情報表示装置。
【請求項１０】
放送信号に多重化されているコンテンツ情報の少なくとも一部を表示装置に表示するために用いる情報表示用コンピュータ・プログラムをコンピュータに読み出し可能に記録した記録媒体において、
所定のコンテンツ情報と、上記所定のコンテンツ情報の表示に応じて取り出す他のコンテンツ情報に関する補助情報とを多重化した放送信号を受信するステップと、
上記放送信号から上記所定のコンテンツ情報および上記補助情報とを取り出すステップと、
取り出された上記所定のコンテンツ情報を表示するステップと、
取り出された上記補助情報に基づいて上記他のコンテンツ情報を取得するステップと、
取得された上記他のコンテンツ情報を表示するステップとをコンピュータに実行させるのに用いることを特徴とする情報表示用コンピュータ・プログラムをコンピュータに読み出し可能に記録した記録媒体。
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
コンテンツ情報とクーポン情報とを放送信号に多重化するステップと、
上記多重化した放送信号を送信するステップと、
上記多重化した放送信号を受信するステップと、
上記多重化した放送信号から上記コンテンツ情報と上記クーポン情報とを取り出すステップと、
上記コンテンツ情報を表示するステップとを有し、
上記クーポン情報を用いて、権利を保持することを証明することを特徴とする情報伝送方法。
【請求項２】
コンテンツ情報とクーポン情報とを多重化した多重化した放送信号を受信するステップと、
上記多重化した放送信号から上記コンテンツ情報と上記クーポン情報とを取り出すステップと、
上記コンテンツ情報を表示するステップとを有し、
上記クーポン情報を用いて、権利を保持することを証明することを特徴とする情報表示方法。
【請求項３】
コンテンツ情報とクーポン情報とを多重化した多重化した放送信号を受信する手段と、
上記多重化した放送信号から上記コンテンツ情報と上記クーポン情報とを取り出す手段と、
上記コンテンツ情報を表示する手段とを有し、
上記クーポン情報を用いて、権利を保持することを証明することを特徴とする情報表示装置。
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
放送信号にコンテンツ情報を多重化して送信し受信側で表示装置に上記コンテンツ情報の少なくとも一部を表示する情報表示方法において、
放送信号に多重化されたコンテンツ情報に含まれることなく所定のコンテンツ情報のソースを特定するソース情報を放送信号に多重化するステップと、
上記多重化した放送信号を送信するステップと、
上記多重化した放送信号を受信するステップと、
上記多重化した放送信号から上記ソース情報を取り出すステップと、
上記ソース情報に基づいて上記ソースから上記所定のコンテンツ情報を受け取るステップと、
上記ソースから受け取った上記所定のコンテンツ情報の少なくとも一部を表示装置に表示するステップとを有することを特徴とする情報表示方法。
【請求項２】
上記放送信号をテレビジョン放送信号とした請求項１記載の情報表示方法。
【請求項３】
上記ソース情報をテレビジョン放送信号の垂直帰線期間に挿入して多重化した請求項１または２記載の情報表示方法。
【請求項４】
上記ソースは、上記多重化した放送信号と別の放送信号とした請求項１、２または３記載の情報表示方法。
【請求項５】
上記別の放送信号は、衛星から送信される放送信号とした請求項４記載の情報表示方法。
【請求項６】
上記別の放送信号は、有線により送信される放送信号とした請求項４記載の情報表示方法。
【請求項７】
上記ソース情報は、上記多重化された放送信号を受信する側に設けられた情報記憶装置に記憶された情報とした請求項１、２または３記載の情報表示方法。
【請求項８】
上記コンテンツ情報はハイパーテクストとした請求項１、２、３、４、５、６または７記載の情報表示方法。
【請求項９】
上記コンテンツ情報はプログラムコードを含む請求項１、２、３、４、５、６または７記載の情報表示方法。
【請求項１０】
コンテンツ情報が多重化された放送信号を受信して上記コンテンツ情報の少なくとも一部を表示する情報表示装置において、
放送信号に多重化されたコンテンツ情報に含まれることなく所定のコンテンツ情報のソースを特定するソース情報が多重化された放送信号を受信する手段と、
上記受信した放送信号から上記ソース情報を取り出す手段と、
上記ソース情報に基づいて上記ソースから上記所定のコンテンツ情報を取り出す手段と、
表示装置と、
上記表示装置に上記所定のコンテンツ情報の少なくとも一部を表示させる手段とを有することを特徴とする情報表示装置。
【請求項１１】
コンテンツ情報が多重化された放送信号を受信して上記コンテンツ情報の少なくとも一部を表示する情報表示方法において、
放送信号に多重化されたコンテンツ情報に含まれることなく所定のコンテンツ情報のソースを特定するソース情報が多重化された放送信号を受信するステップと、
上記受信した放送信号から上記ソース情報を取り出すステップと、
上記ソース情報に基づいて上記ソースから上記所定のコンテンツ情報を受け取るステップと、
上記ソースから受け取った上記所定のコンテンツ情報の少なくとも一部を上記表示装置に表示するステップとを有することを特徴とする情報表示方法。
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
コンテンツ情報と上記コンテンツ情報を表示する表示領域のレイアウトを指示するレイアウト情報とを放送信号に多重化するステップと、
上記多重化した放送信号を送信するステップと、
上記多重化した放送信号を受信するステップと、
上記多重化した放送信号から上記コンテンツ情報と上記レイアウト情報とを取り出すステップと、
上記レイアウト情報に応じたレイアウトで表示装置に上記コンテンツ情報の少なくとも一部を表示するステップとを有することを特徴とする情報表示方法。
【請求項２】
上記放送信号をテレビジョン放送信号とした請求項１記載の情報表示方法。
【請求項３】
上記コンテンツ情報と上記レイアウト情報とをテレビジョン放送信号の垂直帰線期間に挿入して多重化した請求項１または２記載の情報表示方法。
【請求項４】
上記タイミングの情報を上記コンテンツ情報の表示時刻とした請求項１、２または３記載の情報表示方法。
【請求項５】
上記表示時刻は上記コンテンツ情報を受信した時刻を基準にした相対時刻で表わす請求項４記載の情報表示方法。
【請求項６】
上記コンテンツ情報はハイパーテクストとした請求項１、２、３、４または５記載の情報表示方法。
【請求項７】
コンテンツ情報と上記コンテンツ情報の表示領域のレイアウトを指示するレイアウト情報とが多重化された放送信号を受信する手段と、
上記受信した放送信号から上記コンテンツ情報と上記レイアウト情報とを取り出す手段と、
表示装置と、
上記レイアウト情報に応じたレイアウトで上記表示装置に上記コンテンツ情報の少なくとも一部を表示する手段とを有することを特徴とする情報表示装置。
【請求項８】
上記放送信号はテレビジョン放送信号であり、上記レイアウトは、コンテンツ情報を表示する領域内にテレビ映像表示領域がオーバーラップされて配置される請求項７記載の情報表示装置。
【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】
画像情報に基づいてインク滴を画像記録媒体に吐出するインクジェット記録ヘッドから排出された排インクを吸収して処理する排インク処理装置において、
前記インクジェット記録ヘッドから排出された排インクを貯留するタンクと、
前記タンクに収納された排インク吸収部材と、
前記タンクの壁面に形成された通気孔と、
前記タンクに設けられ、インクミストの前記通気孔への流入を阻止するミスト阻止手段と、
を有することを特徴とする排インク処理装置
【請求項２】
前記ミスト阻止手段が、前記タンクの壁面に形成され前記通気孔を取り囲む周壁であることを特徴とする請求項１に記載の排インク処理装置。
【請求項３】
前記タンク内で前記通気口に連通する空間が、
前記タンク内の他の空間と隔てられるように前記周壁と前記排インク吸収部材とを当接させることを特徴とする請求項２に記載の排インク処理装置。
【請求項４】
前記ミスト阻止手段が、前記通気孔を覆いインクミストを捕捉するフィルターであることを特徴とする請求項１に記載の排インク処理装置。
【請求項５】
前記フィルターが、前記タンクの壁面に形成され前記通気孔を取り囲む周壁の内側に充填されたことを特徴とする請求項４に記載の排インク処理装置。
【請求項６】
画像情報に基づいてインク滴を画像記録媒体に吐出するインクジェット記録ヘッドから排出された排インクを吸収して処理する排インク処理装置において、
前記インクジェット記録ヘッドから排出された排インクを貯留するタンクと、
前記タンクに収納された排インク吸収部材と、
前記タンクの天面に形成されタンク内外を連通する通気孔と、
前記タンクの天面内壁に立設され通気孔を取り囲み先端部分で前記吸収部材と当接する周壁と、
前記通気孔を覆い前記周壁に充填されインクミストを捕捉するフィルターと、
を有していることを特徴とする排インク処理装置。
【請求項７】
前記排インク処理装置が、インクジェット記録装置本体から取り外し可能であることを特徴とする請求項１〜請求項６に記載の排インク処理装置。
【請求項８】
請求項１〜７の何れかに記載の排インク処理装置を備えたインクジェット記録装置。
【手続補正２】
【補正対象書類名】明細書
【補正対象項目名】００１４
【補正方法】変更
【補正の内容】
【００１４】
請求項３に記載の排インク処理装置は、前記タンク内で前記通気口に連通する空間が、前記タンク内の他の空間と隔てられるように前記周壁と前記排インク吸収部材とを当接させることを特徴とする。
【手続補正３】
【補正対象書類名】明細書
【補正対象項目名】００１５
【補正方法】変更
【補正の内容】
【００１５】
上記構成の発明では、タンク壁面に形成されたミスト防止手段としての周壁がタンク内部のインク吸収部材と当接し通気口と連通する空間を周囲から隔離している。このため、タンク内部のインクミストが周壁とインク吸収部材の隙間を通って通気孔から漏出することを防止できる。
【手続補正４】
【補正対象書類名】明細書
【補正対象項目名】００１８
【補正方法】変更
【補正の内容】
【００１８】
請求項５に記載の排インク処理装置は、前記フィルターが、前記タンクの壁面に形成され前記通気孔を取り囲む周壁の内側に充填されたことを特徴とする。
【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】
円筒状の金型本体と、
この金型本体の内周面に剥離可能に接合された保持層と、
この保持層の内周面に一体的に接合された離型層と
を具えた遠心成形金型であって、前記離型層はその内周面に供給される遠心成形材料を剥離可能に保持していることを特徴とする遠心成形金型。
【請求項２】
前記離型層の内周面が粗面化されていることを特徴とする請求項１に記載の遠心成形金型。
【請求項３】
前記離型層がシリコーンゴムにて形成され、さらにこの離型層の前記内周面を粗面化するための固体潤滑剤を含んでいることを特徴とする請求項２に記載の遠心成形金型。
【請求項４】
前記固体潤滑剤が１０μm以下の粒径のフッ化黒鉛であることを特徴とする請求項３に記載の遠心成形金型。
【請求項５】
前記離型層の前記内周面の十点平均表面粗さＲｚが２〜１０μmであることを特徴とする請求項２から請求項４の何れかに記載の遠心成形金型。
【請求項６】
前記保持層は、遠心成形材料の硬化温度以上の耐熱温度を有する熱硬化性樹脂にて形成されていることを特徴とする請求項１から請求項４の何れかに記載の遠心成形金型。
【請求項７】
前記熱硬化性樹脂がエポキシ樹脂であり、前記保持層が０.３〜５.０mmの厚みを有することを特徴とする請求項６に記載の遠心成形金型。
【請求項８】
円筒状をなす金型本体の内周面に剥離可能に接合される保持層を構成するための第１の液剤を供給するステップと、
第１の液剤が金型本体の内周面全域に均一に拡散するように金型本体を駆動回転するステップと、
金型本体の内周面全域に拡散した第１の液剤を硬化させて前記保持層を形成するステップと、
この保持層の内周面に一体的に接合される離型層を構成するための第２の液剤を供給するステップと、
第２の液剤が前記保持層の内周面全域に均一に拡散するように金型本体を駆動回転するステップと、
金型本体の内周面全域に拡散した第２の液剤を硬化させて前記離型層を形成するステップと
を具えたことを特徴とする遠心成形金型の製造方法。
【請求項９】
前記離型層を形成するステップは、金型本体の内周面全域に拡散した第２の液剤が完全に硬化する前に、その内周面に粗面化処理剤を含む第２の液体をさらに散布し、前記離型層の内周面を粗面化させるステップを具えたことを特徴とする請求項８に記載の遠心成形金型の製造方法。
【請求項１０】
前記離型層の内周面にさらに少なくとも１層の離型層を形成するステップを具えたことを特徴とする請求項８または請求項９に記載の遠心成形金型の製造方法。
【請求項１１】
金型本体を冷却し、この金型本体および保持層の熱膨張係数の相違を利用して当該金型本体から保持層を離型層と共に剥離させるステップと、
離型層と共に保持層が除去された金型本体の内周面に再び前記保持層および前記離型層を順に形成するステップと
をさらに具えたことを特徴とする請求項８または請求項９に記載の遠心成形金型の製造方法。
【請求項１２】
請求項１に記載の遠心成形金型または請求項８に記載の方法により製造される遠心成形金型を用いて製造されたことを特徴とする円筒状の遠心成形体。
【請求項１３】
電子写真装置における電子写真感光ドラムの外周面に摺接し、接着剤を介して保持部材に保持され、前記電子写真感光ドラムの外周面を払拭するためのクリーニングブレードであって、
請求項１２に記載の円筒状の遠心成形体をその周方向に沿って短冊状に切断することによって得られることを特徴とするクリーニングブレード。
【請求項１４】
電子写真装置における現像スリーブの外周面に摺接し、接着剤を介して保持部材に保持され、前記現像スリーブによるトナーの担持量を規制するための現像ブレードであって、
請求項１２に記載の円筒状の遠心成形体をその周方向に沿って短冊状に切断することによって得られることを特徴とする現像ブレード。
【請求項１５】
請求項１に記載の遠心成形金型または請求項８に記載の方法により製造された遠心成形金型を用い、
離型層の内周面に電子写真用ブレードとなる液体材料を供給するステップと、
前記液体材料が前記離型層の内周面全域に均一に拡散するように、金型本体を駆動回転するステップと、
前記離型層の内周面全域に拡散した前記液体材料を硬化させて円筒状の遠心成形体を得るステップと、
金型本体の回転を停止して前記離型層から硬化した円筒状の遠心成形体を剥離させて取り出すステップと、
前記遠心成形体をその周方向に沿って短冊状に切断するステップと
を具えたことを特徴とする電子写真用ブレードの製造方法。
【請求項１６】
前記電子写真用ブレードが、電子写真装置における電子写真感光ドラムの外周面に摺接し、接着剤を介して保持部材に保持され、前記電子写真感光ドラムの外周面を払拭するためのクリーニングブレードであることを特徴とする請求項１５に記載の電子写真用ブレードの製造方法。
【請求項１７】
前記電子写真用ブレードが、電子写真装置における現像スリーブの外周面に摺接し、接着剤を介して保持部材に保持され、前記現像スリーブによるトナーの担持量を規制するための現像ブレードであることを特徴とする請求項１５に記載の電子写真用ブレードの製造方法。
【請求項１８】
請求項１２に記載の円筒状の遠心成形体をその周方向に沿って短冊状に切断するステップを具えたことを特徴とする電子写真用ブレードの製造方法。
【請求項１９】
前記電子写真用ブレードが、電子写真装置における電子写真感光ドラムの外周面に摺接し、接着剤を介して保持部材に保持され、前記電子写真感光ドラムの外周面を払拭するためのクリーニングブレードであることを特徴とする請求項１８に記載の電子写真用ブレードの製造方法。
【請求項２０】
前記電子写真用ブレードが、電子写真装置における現像スリーブの外周面に摺接し、接着剤を介して保持部材に保持され、前記現像スリーブによるトナーの担持量を規制するための現像ブレードであることを特徴とする請求項１８に記載の電子写真用ブレードの製造方法。